【手続補正書】
【提出日】平成20年7月14日(2008.7.14)
【手続補正１】
【補正対象書類名】特許請求の範囲
【補正対象項目名】全文
【補正方法】変更
【補正の内容】
【特許請求の範囲】
【請求項１】
基材、組成物、およびアクリロニトリル組成物を含む物品であって、
前記基材がフォイル、紙、板紙、ポリエステル、ポリアミド、ポリオレフィン、ポリエチレンビニルアルコール、ポリエチレンビニルアセテート、エチレン酸コポリマー、エチレン酸コポリマーのアイオノマー、ポリ塩化ビニル、ポリ塩化ビニリデン、および無水物変性ポリオレフィン、ポリアセタール、ポリアセタールコポリマー、またはこれらの２つ以上の組み合わせを含み、
前記組成物が、（ａ）約１０〜約８０、約１５〜約８０、または約１５〜約７０、重量％の少なくとも１種のエチレンコポリマーおよび好ましくは約４０〜約７０重量％のエチレンコポリマー、（ｂ）約５〜約６０、約５〜約４５、約１５〜約４５、重量％の少なくとも１種のポリオレフィン、（ｃ）約０．５〜約３５、約１〜約３５、約１０〜約２０、重量％の少なくとも１種の粘着性樹脂、および（ｄ）０〜約３５重量％の充填材を含むかまたはそれから製造され、
前記エチレンコポリマーが、エチレンおよびアルキル（メタ）アクリレート、（メタ）アクリル酸、任意選択のコモノマー、またはこれらの２つ以上の組み合わせから誘導される繰り返し単位を含み、ならびに前記エチレンコポリマーが、好ましくはエチレンおよび１つ以上のＣ1〜8アルキル（メタ）アクリレートから誘導される繰り返し単位を含み、
前記ポリオレフィンが、ポリエチレンホモポリマー、ポリプロピレンホモポリマー、エチレンを含むコポリマー、プロピレンを含むコポリマー、またはこれらの２つ以上の組み合わせを包含し、およびより好ましくは、エチレンおよび１−ブテンのコポリマー、エチレンおよび１−オクテンのコポリマー、またはこれらの組み合わせを包含し、
前記任意選択のコモノマーが、無水マレイン酸、無水マレイン酸のモノエステル、グリシジルメタクリレート、グリシジルアクリレート、一酸化炭素、またはこれらの２つ以上の組み合わせを包含し、ならびに
前記アクリロニトリル組成物が、アクリロニトリルおよびメチルアクリレートから誘導されるポリマーを含む物品。
【請求項２】
前記組成物が、（ａ）約４０〜約６０重量％のエチレンコポリマー、（ｂ）約２０〜約４０重量％のポリオレフィン、（ｃ）約１０〜約２０重量％の粘着性樹脂、および（ｄ）約５〜約２０重量％の充填材を含み、
前記エチレンコモノマーが、アルキル（メタ）アクリレート、好ましくはメチルアクリレートから誘導される約５〜約３０または約９〜約２４重量％の繰り返し単位を含み、および
前記エチレンコポリマーが、任意選択で約０．１〜約１００ｇ／１０分、約０．５〜約５０ｇ／１０分、または約０．５〜約３０ｇ／１０分のメルトインデックスを有する請求項１に記載の物品。
【請求項３】
前記組成物が、２種の異なるエチレンコポリマーを含み、
前記組成物が、前記任意選択のコモノマーから誘導される繰り返し単位を含み、および
前記粘着性樹脂が、クマロンインデン樹脂、テルペン樹脂、ブタジエン−スチレン樹脂、炭化水素樹脂、ロジン材料、またはこれらの２つ以上の組み合わせを包含すると共に、好ましくはポリリモネンから誘導される請求項１または２に記載の物品。
【請求項４】
前記エチレンコポリマーが、管型反応器製造エチレンコポリマーである請求項１〜３のいずれか一項に記載の物品。
【請求項５】
組成物を含む少なくとも１つの層と、少なくとも１種の耐衝撃性変性アクリロニトリル−メチルアクリレートコポリマーを含む少なくとも１つの層と、および任意選択で少なくとも１つの追加の層とを含むかまたはそれから製造された多層構造であって、前記組成物が請求項１〜４のいずれか一項に記載のものであり、前記追加の層が、フォイル、紙、ポリエステル、ポリアミド、ポリオレフィン、ポリエチレンビニルアルコール、ポリエチレンビニルアセテート、エチレン酸コポリマー、エチレン酸コポリマーのアイオノマー、ポリ塩化ビニル、ポリ塩化ビニリデン、無水物変性ポリオレフィン、またはこれらの２つ以上の組み合わせを含むかまたはそれから製造され、前記追加の層が、好ましくは、ポリ塩化ビニル、ポリエステル、またはこれらの組み合わせを含むかまたはそれから製造され、および前記追加の層が、より好ましくは、ポリエチレンテレフタレートを含むかまたはそれから製造され、ならびに
前記多層構造が、任意選択で可熱成形ウェブである多層構造。
【請求項６】
組成物と、耐衝撃性変性アクリロニトリル−メチルアクリレートコポリマーを含む少なくとも１つの層と、フォイル、板紙、高密度ポリエチレン、ポリプロピレン、耐衝撃性ポリスチレン、アモルファスポリエチレンテレフタレート、結晶性ポリエチレンテレフタレート、ポリ塩化ビニル、ポリアクリロニトリルホモポリマー、ポリアクリロニトリルコポリマー、ポリアセタール、ポリアセタールコポリマー、またはこれらの２つ以上の組み合わせを含む少なくとも１つの追加の層と、を含むかまたはそれから製造された少なくとも１つの層を含むパッケージであって、前記パッケージが、熱成形ブリスターパック、ポーチ、剛性容器、またはこれらの２つ以上の組み合わせを包含し、前記組成物が請求項１〜４のいずれか一項に記載のものであり、および前記追加の層が、好ましくは、ポリ塩化ビニル、ポリエステル、またはこれらの組み合わせを含み、ならびに
前記パッケージが、任意選択で、（１）耐衝撃性変性アクリロニトリル−メチルアクリレートコポリマーを含む容器と、（２）前記組成物を含む少なくとも１つの層と前記追加の層とを含む多層構造を含むかまたはそれから製造された剥離性ふたとを含むパッケージ。
【手続補正２】
【補正対象書類名】明細書
【補正対象項目名】０１４７
【補正方法】変更
【補正の内容】
【０１４７】
実施例２７
実施例２１のフィルムの多層構造は、Ｍｅｄｉｐａｋ  Ｍｏｄｅｌ  ＣＰ−２ｌパッケージング機（上部および下部成形温度１１５℃）を用いて、ブリスターパックブランクに熱成形される。
次に、本発明の好ましい態様を示す。
1.  基材、組成物、およびアクリロニトリル組成物を含む物品であって、
前記基材がフォイル、紙、板紙、ポリエステル、ポリアミド、ポリオレフィン、ポリエチレンビニルアルコール、ポリエチレンビニルアセテート、エチレン酸コポリマー、エチレン酸コポリマーのアイオノマー、ポリ塩化ビニル、ポリ塩化ビニリデン、および無水物変性ポリオレフィン、ポリアセタール、ポリアセタールコポリマー、またはこれらの２つ以上の組み合わせを含み、
前記組成物が、（ａ）約１０〜約８０重量％、約１５〜約８０重量％、または約１５〜約７０重量％の少なくとも１種のエチレンコポリマーおよび好ましくは約４０〜約７０重量％のエチレンコポリマー、（ｂ）約５〜約６０重量％、約５〜約４５重量％、約１５〜約４５重量％の少なくとも１種のポリオレフィン、（ｃ）約０．５〜約３５重量、約１〜約３５重量、約１０〜約２０重量％の少なくとも１種の粘着性樹脂、および（ｄ）０〜約３５重量％の充填材を含むかまたはそれから製造され、
前記エチレンコポリマーが、エチレンおよびアルキル（メタ）アクリレート、（メタ）アクリル酸、任意成分のコモノマー、またはこれらの２つ以上の組み合わせから誘導される繰り返し単位を含み、ならびに前記エチレンコポリマーが、好ましくはエチレンおよび１つ以上のＣ1〜8アルキル（メタ）アクリレートから誘導される繰り返し単位を含み、
前記ポリオレフィンが、好ましくは、ポリエチレンホモポリマー、ポリプロピレンホモポリマー、エチレンを含むコポリマー、プロピレンを含むコポリマー、またはこれらの２つ以上の組み合わせを包含し、およびより好ましくは、エチレンおよび１−ブテンのコポリマー、エチレンおよび１−オクテンのコポリマー、またはこれらの組み合わせを包含し、
前記任意成分のコモノマーが、無水マレイン酸、無水マレイン酸のモノエステル、グリシジルメタクリレート、グリシジルアクリレート、一酸化炭素、またはこれらの２つ以上の組み合わせを包含し、ならびに
前記アクリロニトリル組成物が、アクリロニトリルおよびメチルアクリレートから誘導されるポリマーを含む物品。
2.  前記組成物が、（ａ）約４０〜約６０重量％のエチレンコポリマー、（ｂ）約２０〜約４０重量％のポリオレフィン、（ｃ）約１０〜約２０重量％の粘着性樹脂、および（ｄ）約５〜約２０重量％の充填材を含む上記１に記載の物品。
3.  前記エチレンコモノマーが、アルキル（メタ）アクリレート、好ましくはメチルアクリレートから誘導される約５〜約３０または約９〜約２４重量％の繰り返し単位を含む上記１または２に記載の物品。
4.  前記エチレンコポリマーが、約０．１〜約１００ｇ／１０分、約０．５〜約５０ｇ／１０分、または約０．５〜約３０ｇ／１０分のメルトインデックスを有する上記１〜３のいずれか一項に記載の物品。
5.  前記組成物が、２種の異なるエチレンコポリマーを含む上記１〜４のいずれか一項に記載の物品。
6.  前記組成物が、前記任意成分のコモノマーから誘導される繰り返し単位を含む上記１〜５のいずれか一項に記載の物品。
7.  前記粘着性樹脂が、クマロンインデン樹脂、テルペン樹脂、ブタジエン−スチレン樹脂、炭化水素樹脂、ロジン材料、またはこれらの２つ以上の組み合わせを包含すると共に、好ましくはポリリモネンから誘導される上記１〜６のいずれか一項に記載の物品。
8.  前記エチレンコポリマーが、管型反応器製造エチレンコポリマーである上記１〜７のいずれか一項に記載の物品。
9.  組成物を含む少なくとも１つの層と、少なくとも１種の耐衝撃性変性アクリロニトリル−メチルアクリレートコポリマーを含む少なくとも１つの層と、および任意成分で少なくとも１つの追加の層とを含むかまたはそれから製造された多層構造であって、前記組成物が上記１〜８のいずれか一項に記載のものであり、前記追加の層が、フォイル、紙、ポリエステル、ポリアミド、ポリオレフィン、ポリエチレンビニルアルコール、ポリエチレンビニルアセテート、エチレン酸コポリマー、エチレン酸コポリマーのアイオノマー、ポリ塩化ビニル、ポリ塩化ビニリデン、無水物変性ポリオレフィン、またはこれらの２つ以上の組み合わせを含むかまたはそれから製造され、前記追加の層が、好ましくは、ポリ塩化ビニル、ポリエステル、またはこれらの組み合わせを含むかまたはそれから製造され、および前記追加の層が、より好ましくは、ポリエチレンテレフタレートを含むかまたはそれから製造される多層構造。
10.  可熱成形ウェブである上記９に記載の多層構造。
11.  組成物と、耐衝撃性変性アクリロニトリル−メチルアクリレートコポリマーを含む少なくとも１つの層と、フォイル、板紙、高密度ポリエチレン、ポリプロピレン、耐衝撃性ポリスチレン、アモルファスポリエチレンテレフタレート、結晶性ポリエチレンテレフタレート、ポリ塩化ビニル、ポリアクリロニトリルホモポリマー、ポリアクリロニトリルコポリマー、ポリアセタール、ポリアセタールコポリマー、またはこれらの２つ以上の組み合わせを含む少なくとも１つの追加の層と、を含むかまたはそれから製造された少なくとも１つの層を含むパッケージであって、前記パッケージが、熱成形ブリスターパック、ポーチ、剛性容器、またはこれらの２つ以上の組み合わせを包含し、前記組成物が上記１〜８のいずれか一項に記載のものであり、および前記追加の層が、好ましくは、ポリ塩化ビニル、ポリエステル、またはこれらの組み合わせを含むパッケージ。
12.  （１）耐衝撃性変性アクリロニトリル−メチルアクリレートコポリマーを含む容器と、（２）前記組成物を含む少なくとも１つの層と前記追加の層とを含む多層構造を含むかまたはそれから製造された剥離性蓋とを含む上記１１に記載のパッケージ。